(57)【要約】【課題】専用ＡＦセンサを、その画素の走査方向を撮像素子の画素の水平走査方向に交差するように配置して、撮像素子の水平走査出力を用いる山登りコントラストＡＦ法では正確な距離情報が得られない状態でも、正確且つ高速に距離情報が得られるようにした自動測距装置及びそれを用いた電子カメラを提供する。【解決手段】フォーカシング用のレンズを含む撮影レンズ１と、撮影レンズの通過光を受光する撮像素子２と、撮像素子の画素の水平走査による出力から距離情報を求める距離評価値演算回路３と、撮像素子の水平走査方向と交差する走査方向をもつように配置した専用ＡＦセンサ４と、距離評価値演算回路からの出力と専用ＡＦセンサからの出力の一方を選択し、撮影レンズを構成するフォーカシング用のレンズの合焦位置への移動用制御信号を生成する制御信号処理回路５とで自動測距装置を構成する。【選択図】        図１
2004170510.tif 000002
【特許請求の範囲】
【請求項１】
撮像装置に用いられる自動測距装置であって、フォーカシング用に移動するフォーカシングレンズを含む撮影レンズと、該撮影レンズを通過した光束を受光する撮像素子と、該撮像素子の水平走査による出力から得られるコントラスト情報に基づいて距離情報を求める距離評価値演算回路と、前記撮像素子の水平走査方向と交差する走査方向をもつように配置した専用ＡＦセンサと、前記距離評価値演算回路と専用ＡＦセンサの出力の少なくとも一方を選択し、前記撮影レンズを構成するフォーカシングレンズを合焦点位置に移動する信号を生成する制御信号処理回路とで構成されていることを特徴とする自動測距装置。
【請求項２】
撮像動作中の該撮像装置のアングルを検出する手段を備え、前記制御信号処理回路は、前記アングル検出手段の出力信号により、フォーカシングレンズを合焦点位置に移動する信号を、通常アングル撮影時には、距離評価値演算回路の出力に基づいて生成し、縦アングル撮影時には、前記専用ＡＦセンサの出力に基づいて生成することを特徴とする請求項１に係る自動測距装置。
【請求項３】
撮像動作中に、前記撮像素子の出力が距離情報を得るのに適する品質であるか否かを判断する手段を備え、前記制御信号処理回路は、前記品質判断手段が撮像素子の出力が距離情報を得るのに不適と判断した場合、撮影レンズを構成するフォーカシングレンズを合焦点位置に移動する信号を、前記専用ＡＦセンサの出力に基づいて生成することを特徴とする請求項１に係る自動測距装置。
【請求項４】
撮像動作中に、被写体の一方向の動きを前記撮像素子の出力により検出し、前記被写体の一方向に交差する方向の動きを前記専用ＡＦセンサの出力により検出する動き検出手段を備え、前記制御信号処理回路は、前記動き検出手段が被写体の動きを検出した場合、撮影レンズを構成するフォーカシングレンズを合焦点位置に移動する信号を、前記専用ＡＦセンサの出力に基づいて生成することを特徴とする請求項１に係る自動測距装置。
【請求項５】
請求項１〜４のいずれか１項に係る記載の自動測距装置を備え、内蔵モニター上に前記自動測距装置の動作状態を示すように構成したことを特徴とするする電子カメラ。
【発明の詳細な説明】
【０００１】
【発明の属する技術分野】
この発明は、撮影画像のコントラストに基づく合焦位置を検出するコントラストＡＦと、外部測距センサ（専用ＡＦセンサ）によるＡＦとを選択的に用いるようにした撮像装置に用いられる自動測距装置、及びそれを用いた電子カメラに関する。
【０００２】
【従来の技術】
【特許文献１】特開２００１−２５５４５６号公報
【０００３】
近年、画像信号処理のディジタル化及び画像信号圧縮技術の進歩に伴い、撮像した画像信号をディジタル化してメモリに記憶可能にしたデジタルカメラ等の電子カメラが注目されている。このような電子カメラにおいては、撮影画像の品質を決める一機構として自動測距装置を備えている。そして、さまざまな撮影条件で正確に合焦した撮影画像を得るため、またレンズを高速に合焦位置に移動するため、自動測距装置に関して従来より数多くの提案がなされている。従来から提案され広く普及している自動測距装置の一つに、山登りコントラスト法（コントラストＡＦ）がある。次に山登りコントラスト法を、図６の（Ａ）〜（Ｄ）を用いて説明する。
【０００４】
山登りコントラスト法による自動測距装置は、図６の（Ａ）に示すように、フォーカシング用に移動するレンズを含む撮影レンズ１０１  と、撮像素子１０２  と、該撮像素子１０２  の出力から距離情報を求める距離評価値演算回路１０３  と、該距離評価値演算回路１０３  の出力に基づいて、前記フォーカシング用に移動するレンズを含む撮影レンズ１０１  の位置を制御する信号を生成する制御信号処理回路１０４  とで構成されている。この方式の自動測距装置の構成要素の一つである距離評価値演算回路１０３  は、図６の（Ｂ）に示すように、高域通過フィルタ１１１  と、該高域通過フィルタ１１１  の出力を数値化する数値化演算回路１１２  と、信号選択回路とメモリを有するコントロール部１１３  とで構成されている。
【０００５】
このように構成された自動測距装置において、図６の（Ｃ）に示す画像を撮像した場合の撮像素子１０２  の出力は、時間と共に▲１▼（ａ）→▲１▼（ｂ）→▲１▼（ｃ）→▲１▼（ｄ）→▲２▼（ａ）→▲２▼（ｂ）→▲２▼（ｃ）→▲２▼（ｄ）→・・・→▲４▼（ａ）→▲４▼（ｂ）→▲４▼（ｃ）→▲４▼（ｄ）と変化する信号であり、これが距離評価値演算回路１０３  に入力される。距離評価値演算回路１０３  を構成する高域通過フィルタ１１１  並びに、この出力を数値化する数値化演算回路１１２  は、被写体の輪郭のシャープネスを求める機能を持ち、数値化演算回路１１２  の出力は、輪郭がシャープなら大きく、輪郭がシャープでないなら小さくなる。被写体の輪郭がシャープな状態は合焦状態、シャープでない（ぼやけている）状態は非合焦状態と同意である。
【０００６】
次に、距離評価値演算回路１０３  の機能を、コントロール部１１３  により撮像素子１０２  の一水平走査出力を選択した場合について説明し、複数の水平走査出力を選択した場合の動作は、コントロール部１１３  の動きに着目して説明する。
【０００７】
〔１〕一水平走査出力を選択した場合の動作
・高域通過フィルタ１１１  の入力：▲３▼（ａ）→▲３▼（ｂ）→▲３▼（ｃ）→▲３▼（ｄ）
・高域通過フィルタ１１１  の出力：ｈｐｆ  ▲３▼（ａ）→ｈｐｆ  ▲３▼（ｂ）→ｈｐｆ  ▲３▼（ｃ）→ｈｐｆ  ▲３▼（ｄ）
ここで、ｈｐｆ  は高域通過フィルタの出力を表す。
・数値化演算回路１１２  の出力：最大（ｄｅｔ１，ｄｅｔ２，ｄｅｔ３）  、平均（ｄｅｔ１，ｄｅｔ２，ｄｅｔ３）  など
ｄｅｔ  １＝｜ｈｐｆ  ▲３▼（ｂ）−ｈｐｆ  ▲３▼（ａ）｜
ｄｅｔ  ２＝｜ｈｐｆ  ▲３▼（ｃ）−ｈｐｆ  ▲３▼（ｂ）｜
ｄｅｔ  ３＝｜ｈｐｆ  ▲３▼（ｄ）−ｈｐｆ  ▲３▼（ｃ）｜
最大（ａ，ｂ，ｃ）は３信号ａ，ｂ，ｃの最大値を求める演算を表す
平均（ａ，ｂ，ｃ）は３信号ａ，ｂ，ｃの平均値を求める演算を表す
【０００８】
〔２〕コントロール部１１３  の動き（複数の水平走査出力選択時）
（１）撮像素子１０２  の出力を一旦コントロール部１１３  のメモリに記憶し、記憶したデータを高域通過フィルタ１１１  に加える。
・撮像素子１０２  の水平走査方向を横切る画像の輪郭を検出する場合は、映像信号をライン単位にメモリに格納し、メモリに格納したデータを入れた順番通りに高域通過フィルタ１１１  に加える。
・撮像素子１０２  の水平走査方向に平行な画像の輪郭を検出する場合は、映像信号を画像単位でメモリに格納する。格納したデータは画像を垂直方向に走査した信号となるように入れ替えて高域通過フィルタ１１１  に加える。
（２）数値化演算回路１１２  の演算結果を、演算単位でコントロール部１１３  のメモリに記憶し、記憶したデータ同士を比較する、複数のデータから新たなデータを合成する等の処理を行う。
【０００９】
次に、図６の（Ｄ）を用いて、山登りコントラスト法により、撮影レンズ１０１を構成するフォーカシング用のレンズを合焦点位置まで移動するシーケンスについて説明する。図６の（Ｄ）の横軸は前記撮影レンズ１０１  の位置、縦軸は距離評価値演算回路１０３  の出力（距離評価値）である。合焦位置への前記撮影レンズ１０１  の移動は、電子カメラの操作開始時、無限側に位置する前記撮影レンズ１０１  を、電子カメラの操作開始後、距離評価値演算回路１０３  の出力をモニターし、距離評価値演算回路１０３  の出力が大きくなるように至近側に移動し、距離評価値演算回路１０３  の出力が極大値に達したときに、前記撮影レンズ１０１  の移動を止めることで実現される。距離評価値演算回路１０３  の出力が極大値に到達するまでには、距離評価値演算回路１０３  の出力は、上昇→下降→上昇する。このとき、前記撮影レンズ１０１  は、該レンズが至近側に動く状態を正と定義すると、正→逆→正の向きに動く。距離評価値演算回路１０３  の出力が極大値にあるとき、被写体の輪郭が最もシャープになり、この状態で撮影を行うと合焦した画像が得られる。
【００１０】
以上説明したように、山登りコントラスト法による自動測距装置は、撮影画像を得るための撮像素子１０２  の出力を使う自動測距装置であり、撮影レンズ１０１  を構成するフォーカシング用のレンズを正確に制御できる。そして、外部の測距センサからなる専用ＡＦセンサや、専用ＡＦセンサ用の別個の光学系を必要としないメリットもある。しかし、距離情報を求め前記撮影レンズ１０１  を合焦点状態まで移動させる時間が長く、この間に電力を消費する。また距離評価値演算回路１０３  に大規模な回路が必要になる等の問題がある。これらの問題は、山登りコントラスト法の原理と、距離評価値演算回路１０３  の実現方法に起因している。
【００１１】
（１）山登りコントラスト法の原理に基づく問題点
・被写体の輪郭のシャープネスを表す信号だけでなく、広範囲の画像信号を処理しなければならない。
・被写体の輪郭のシャープネスとは無関係に距離評価値演算回路１０３  の出力が大きくなる被写体があり、この被写体を撮像した場合、正確な距離情報が得られない。
・距離評価値演算回路１０３  の出力は、被写体の距離（絶対値）を示していない。
・撮影レンズ１０１  を構成するフォーカシング用のレンズを合焦位置まで移動するのに、該レンズを正→逆→正（もしくは逆→正→逆）と動かす必要がある。
【００１２】
（２）距離評価値演算回路１０３  の実現方法に起因する問題
・高精度な自動測距装置を実現するためには、距離評価値演算回路１０３  のコントロール部１１３  で多くの信号を処理しなければならない。多くの信号を処理するためには、少ない回路で時間をかけるか、時間の短縮を優先し、回路を大規模にする必要がある。同様に、高精度な測距装置を実現するためには数値化演算回路１１２  を複雑にする必要がある。
この傾向は、特に撮像素子の水平走査方向に平行な被写体の輪郭のシャープネスを検出しようとする距離評価値演算回路１０３  を実現するときに顕著になる。
【００１３】
このような山登りコントラスト法による自動測距装置の欠点を、山登りコントラスト法自体の改良や改善ではなく、フィルムカメラで広く一般に普及している測距センサからなる専用ＡＦセンサ、例えば一次元の光分布をセンシングする光センサであるＣＣＤラインセンサ、ＣＭＯＳラインセンサなどを併せもつことで、解決している電子カメラが知られている。例えば、特開平２００１−２５５４５６号公報（特許文献１）では、撮影モードにより、あるいは被写体の判定結果により、自動測距装置を切り換え、上記問題を解決する方法が示されている。専用ＡＦセンサを用いる自動測距装置は、レンズの位置制御の精度が山登りコントラスト法に劣るものの、高速動作が可能である。また被写体の距離（絶対値）を求めることができるため、合焦状態にフォーカシング用レンズを移動させるときに、該レンズを正→逆→正（もしくは逆→正→逆）と移動させる必要がない。
【００１４】
【発明が解決しようとする課題】
ところで、上述した特開平２００１−２５５４５６号公報では、山登りコントラスト方式と専用ＡＦセンサ方式とを併用した、高速且つ高精度の自動測距装置を開示しているが、撮像素子の画素の走査方向と、専用ＡＦセンサの画素の走査方向の関係については言及しておらず、専用ＡＦセンサの画素走査方向が撮像素子の水平走査方向と同じ場合、山登りコントラスト法の代わりに専用ＡＦセンサを用いても解決されない問題が残る。すなわち、被写体の輪郭のシャープネスとは無関係に距離評価値演算回路の出力が高くなる場合には、専用ＡＦセンサの出力が同じように距離に依存しない信号となり、問題が解決されない。また、撮像素子の画素の水平走査方向に平行する被写体の輪郭のシャープネスは、撮像素子の水平走査方向と、走査方向が同じになるように配置された専用ＡＦセンサでは、検出できない。
【００１５】
本発明は、従来提案の自動測距装置における上記問題点を解消するためになされたもので、山登りコントラスト方式と専用ＡＦセンサ方式を用いた自動測距装置において、撮像素子の出力である画素の水平走査出力から求める距離評価値演算の出力が、被写体の輪郭のシャープネスとは無関係に大きくなる場合、及び撮像素子の画素の水平走査方向に平行する被写体の輪郭のシャープネスを検出する場合においても、高速且つ高精度で距離情報が得られるようにした自動測距装置を提供することを目的とする。
【００１６】
【課題を解決するための手段】
上記問題点を解決するため、請求項１に係る発明は、撮像装置に用いられる自動測距装置であって、フォーカシング用に移動するフォーカシングレンズを含む撮影レンズと、該撮影レンズを通過した光束を受光する撮像素子と、該撮像素子の水平走査による出力から得られるコントラスト情報に基づいて距離情報を求める距離評価値演算回路と、前記撮像素子の水平走査方向と交差する走査方向をもつように配置した専用ＡＦセンサと、前記距離評価値演算回路と専用ＡＦセンサの出力の少なくとも一方を選択し、前記撮影レンズを構成するフォーカシングレンズを合焦点位置に移動する信号を生成する制御信号処理回路とで、自動測距装置を構成するものである。
【００１７】
このように構成された自動測距装置においては、専用ＡＦセンサ（測距センサ）は撮像素子の画素の水平走査方向と交差する方向の走査により距離情報を得るようにしているので、撮像素子の水平走査出力から求める距離評価値演算出力が、被写体の輪郭のシャープネスとは無関係に大きくなる場合や、撮像素子の水平走査方向に平行する被写体の輪郭のシャープネスを検出する場合においても、高速且つ高精度で距離情報を得ることが可能となる。
【００１８】
また、請求項２に係る発明は、請求項１に係る自動測距装置において、撮像動作中の該撮像装置のアングルを検出する手段を備え、前記制御信号処理回路は、前記アングル検出手段の出力信号により、フォーカシングレンズを合焦点位置に移動する信号を、通常アングル撮影時には、距離評価値演算回路の出力に基づいて生成し、縦アングル撮影時には、前記専用ＡＦセンサの出力に基づいて生成することを特徴とするものである。
【００１９】
また、請求項３に係る発明は、請求項１に係る自動測距装置において、撮像動作中に、前記撮像素子の出力が距離情報を得るのに適する品質であるか否かを判断する手段を備え、前記制御信号処理回路は、前記品質判断手段が撮像素子の出力が距離情報を得るのに不適と判断した場合、撮影レンズを構成するフォーカシングレンズを合焦点位置に移動する信号を、前記専用ＡＦセンサの出力に基づいて生成することを特徴とするものである。
【００２０】
また、請求項４に係る発明は、請求項１に係る自動測距装置において、撮像動作中に、被写体の一方向の動きを前記撮像素子の出力により検出し、前記被写体の一方向に交差する方向の動きを前記専用ＡＦセンサの出力により検出する動き検出手段を備え、前記制御信号処理回路は、前記動き検出手段が被写体の動きを検出した場合、撮影レンズを構成するフォーカシングレンズを合焦点位置に移動する信号を、前記専用ＡＦセンサの出力に基づいて生成することを特徴とするものである。
【００２１】
また、請求項５に係る発明は、請求項１〜４のいずれか１項に係る自動測距装置を備え、内蔵モニター上に前記自動測距装置の動作状態を示すようにして電子カメラを構成するものである。
【００２２】
【発明の実施の形態】
次に、撮像装置として電子カメラを例として用い、図面を参照して本発明に係る自動測距装置及びそれを搭載した電子カメラの実施の形態を説明する。
（第１の実施の形態）
図１の（Ａ）は、本発明に係る自動測距装置の第１の実施の形態を示すブロック構成図である。図１の（Ａ）に示すように、この実施の形態に係る自動測距装置は、フォーカシング用に移動するレンズを含む撮影レンズ１と、該撮影レンズ１を通過した光束を受光する撮像素子２と、該撮像素子２の画素の水平走査による出力から得られるコントラスト情報に基づいて距離情報を求める山登りコントラスト方式用の距離評価値演算回路３と、前記撮像素子２の水平走査方向と交差する方向の走査方向をもつように配置したＣＣＤラインセンサなどの測距センサからなる専用ＡＦセンサ４と、前記距離評価値演算回路３からの出力と前記専用ＡＦセンサ４からの出力の少なくとも一方を選択し、前記撮影レンズ１を構成するフォーカシング用のレンズを合焦位置に移動する信号を生成する制御信号処理回路５とで構成されている。
【００２３】
図１の（Ｂ）は、専用ＡＦセンサ４を構成する距離センサの画素の走査方向を示す説明図であり、専用ＡＦセンサ４は、点線で示す画素の走査方向が、実線で示す撮像素子２の水平走査方向に対して交差（図示例では直交）する方向に、配置されていることを示している。
【００２４】
そして、このように構成した自動測距装置においては、被写体の輪郭のシャープネスとは無関係に距離評価値演算回路３の出力が高くなる場合、及び撮像素子２の画素の水平走査方向と平行な被写体の輪郭のシャープネスを検出する場合など、撮影画像を用いた山登りコントラスト方式のＡＦ調整が不適ないしは不能な場合には、専用ＡＦセンサによる距離情報を選択して、フォーカシング用のレンズの合焦位置への移動用制御信号を生成する。これにより、上記のように山登りコントラスト方式によるＡＦ調整が不適ないしは不能な場合でも、専用ＡＦセンサの距離情報を用いることにより、撮影レンズのＡＦ調整を高速且つ高精度で行うことができる。
【００２５】
（第２の実施の形態）
図２の（Ａ）は、本発明に係る自動測距装置の第２の実施の形態を示すブロック図で、図１の（Ａ）に示した第１の実施の形態と同一の構成部材には同一の符号を付して示し、その説明を省略する。この実施の形態は、この自動測距装置を搭載した電子カメラの撮影アングルを判定するアングル判定部６を設け、このアングル判定部６からの判定信号に基づいて、制御信号処理回路５が、前記距離評価値演算回路３からの出力（山登りコントラスト方式による距離情報）と専用ＡＦセンサ４からの出力（測距センサからの距離情報）のいずれかを選択して、フォーカシング用のレンズの合焦位置への移動用制御信号を生成するように構成されている。
【００２６】
図２の（Ｂ）は、電子カメラが縦アングル撮影時における、専用ＡＦセンサ４を構成する測距センサの画素の走査方向を示す説明図であり、専用ＡＦセンサ４は、点線で示す画素の走査方向が、実線で示す撮像素子２の水平走査方向に対して交差（図では直交）する方向に、配置されていることを示している。
【００２７】
このように構成された第２の実施の形態においては、通常の横アングル撮影時には、アングル判定部６からの横アングル判定信号により、制御信号処理回路５は、山登りコントラスト法を実現する前記距離評価値演算回路３からの出力を用いて、フォーカシング用のレンズを合焦位置へ移動させる制御信号を生成する。一方、縦アングル撮影時には、アングル判定部６からの縦アングル判定信号により、制御信号処理回路５は、専用ＡＦセンサ４からの出力を用いて、フォーカシング用のレンズの合焦位置への移動用制御信号を生成する。これにより、縦アングル撮影時では山登りコントラスト方式による距離情報の取得が困難な被写体構成の場合でも、自動的に専用ＡＦセンサ側に切り換えられ、高速且つ高精度で距離情報を得ることできる。
【００２８】
（第３の実施の形態）
図３の（Ａ）は、本発明に係る自動測距装置の第３の実施の形態を示すブロック図で、図１の（Ａ）に示した第１の実施の形態と同一の構成部材には同一の符号を付して示し、その説明を省略する。この実施の形態は、被写体の縦縞シーンを判定する縦縞シーン判定部７を設け、この縦縞シーン判定部７からの判定信号に基づいて、制御信号処理回路５が、山登りコントラスト法を実現する前記距離評価値演算回路３からの出力と専用ＡＦセンサ４からの出力のいずれかを選択して、フォーカシング用のレンズの合焦位置への移動用制御信号を生成するように構成されている。
【００２９】
図３の（Ｂ）は、縦縞模様の被写体シーンの撮影時における、専用ＡＦセンサ４を構成する測距センサの画素の走査方向を示す説明図であり、専用ＡＦセンサ４は、点線で示す画素の走査方向が、実線で示す撮像素子２の水平走査方向に対して交差（図では直交）する方向に、配置されていることを示している。
【００３０】
このように構成された第３の実施の形態において、縦縞シーン判定部７は、撮像素子が縦縞模様の被写体シーンを撮影したときに出力される、水平方向に一定周期で明／暗を繰り返す縦縞パターンを検出し、縦縞シーン判定信号を出力するようになっている。そして、この縦縞シーン判定部７から縦縞シーン判定信号が検出されない場合は、制御信号処理回路５は、山登りコントラスト法を実現する距離評価値演算回路３の出力を用いて、フォーカシング用のレンズの合焦位置への移動用制御信号を生成する。一方、縦縞シーン判定部７から縦縞シーン判定信号が検出されると、専用ＡＦセンサ４からの出力を用いて、合焦位置への移動用制御信号を生成する。これにより、山登りコントラスト法が苦手とする縦縞模様の被写体の場合は、自動的に専用ＡＦセンサ側に切り換えられ、高速且つ高精度で距離情報を得ることができる。
【００３１】
（第４の実施の形態）
図４の（Ａ）は、本発明に係る自動測距装置の第４の実施の形態を示すブロック図で、図１の（Ａ）に示した第１の実施の形態と同一の構成部材には同一の符号を付して示し、その説明を省略する。この実施の形態は、撮像素子２の出力を入力し、被写体の水平方向の動きを検出し、動き判定信号を出力する第１の動き判定部８−１と、専用ＡＦセンサ４の出力を入力とし、被写体の縦方向の動きを検出し、動き判定信号を出力する第２の動き判定部８−２とを設け、この第１及び第２の動き判定部８−１，８−２からの動き判定信号に基づいて、制御信号処理回路５が、山登りコントラスト法を実現する前記距離評価値演算回路３からの出力と専用ＡＦセンサ４からの出力のいずれかを選択して、フォーカシング用のレンズの合焦位置への移動用制御信号を生成するように構成されている。
【００３２】
図４の（Ｂ）は、専用ＡＦセンサ４を構成する測距センサの画素の走査方向を示す説明図であり、専用ＡＦセンサ４は、点線で示す画素の走査方向が、実線で示す撮像素子２の水平走査方向に対して交差（図では直交）する方向に、配置されていることを示している。
【００３３】
このように構成された第４の実施の形態において、第１及び第２の動き判定部８−１，８−２が、被写体が動いている状態を検出した場合は、それらの判定信号に基づいて、制御信号処理回路５は、専用ＡＦセンサ４の出力を用いて、フォーカシング用のレンズの合焦位置への移動用制御信号を生成し、被写体の動きを検出しない場合は、山登りコントラスト法を実現する距離評価値演算回路３の出力を用いて合焦位置への移動用制御信号を生成する。これにより、山登りコントラスト法によっては距離情報が得ることの困難な動きのある被写体の場合でも、自動的に専用ＡＦセンサによる距離情報を用いるように切り換えられ、高速且つ高精度でフォーカシング用のレンズの合焦位置への移動用制御信号を生成することができる。
【００３４】
（第５の実施の形態）
図５は、本発明に係る自動測距装置を搭載した電子カメラの構成例を示す概略模式図である。この電子カメラ１１は、自動測距機構として山登りコントラスト方式と専用ＡＦセンサ方式を併せもつ上記第１〜第４の実施の形態に示したいずれかの自動測距装置を備えており、且つスルー画像等を表示するＬＣＤ画像表示モニター１２を備えていて、該ＬＣＤ画像表示モニター１２上にスルー画像と共に、上記自動測距装置の動作状態をスーパーインポーズ状態で表示させるように構成したものである。図５においては、撮像素子の水平走査による出力から山登りコントラスト方式の距離情報を得る場合と専用ＡＦセンサの垂直方向走査による出力から距離情報を得る場合を、色別等で模式的に表すようにした態様例を示している。このような自動測距装置の動作状態をＬＣＤ画像表示モニター上に表示することにより、測距状態がどのような状態（選択状態等）で行われているかを容易に確認することができる。
【００３５】
【発明の効果】
以上実施の形態に基づいて説明したように、本発明によれは、専用ＡＦセンサの画素の走査方向を撮像素子の画素の水平走査方向に交差するように専用ＡＦセンサを配置して自動測距装置を構成しているので、撮像素子の画素の水平走査出力を用いる山登りコントラストＡＦ法では正確な距離情報が得られない状態でも、正確且つ高速に距離情報を得ることができる。よって、このような構成の自動測距装置を電子カメラに搭載することにより、電子カメラの性能向上に大きく寄与することができる。
【図面の簡単な説明】
【図１】本発明に係る自動測距装置の第１の実施の形態を示すブロック構成図及びその動作説明図である。
【図２】本発明に係る自動測距装置の第２の実施の形態を示すブロック構成図及びその動作説明図である。
【図３】本発明に係る自動測距装置の第３の実施の形態を示すブロック構成図及びその動作説明図である。
【図４】本発明に係る自動測距装置の第４の実施の形態を示すブロック構成図及びその動作説明図である。
【図５】本発明に係る自動測距装置を搭載した電子カメラの構成例を示す模式図である。
【図６】従来の自動測距装置を示すブロック構成図及びその動作説明図である。
【符号の説明】
１  撮影レンズ
２  撮像素子
３  距離評価値演算回路
４  専用ＡＦセンサ
５  制御信号処理回路
６  アングル判定部
７  縦縞シーン判定部
８−１  第１の動き判定部
８−２  第２の動き判定部
１１  電子カメラ
１２  ＬＣＤ画像表示モニター
【図１】
2004170510.tif 000003
【図２】
2004170510.tif 000004
【図３】
2004170510.tif 000005
【図４】
2004170510.tif 000006
【図５】
2004170510.tif 000007
【図６】
2004170510.tif 000008